(57)【特許請求の範囲】
【請求項１】
液化プロパンを貯留する容器本体と、この容器本体に設けられたガス取出弁とガスメータの入口側とを第１配管系で連結すると共にガスメータの出口側に被使用ガス機器へガスを供給する第２配管系を連結してなるガス供給ユニットとを備えたバルク供給装置において、
前記ガス供給ユニットが前記容器本体に設けたプロテクタ内に設けられると共に、前記第１および第２配管系が前記プロテクタの内側面に沿って配管され、前記ガスメータを仮止めするメータ仮止具は、ガスメータの底部に当接するメータ載置面が上面に形成されると共に、ガスメータに連結する信号線の逃げ溝が一側面に形成され、かつプロテクタの係合孔に押入して係合する係合突起が他側面に形成されており、全体が合成樹脂材でブロック状に一体に形成されていることを特徴とするバルク供給装置。
【請求項２】
請求項１記載のバルク供給装置であって、
前記ガスメータに連結された第１及び第２配管系は、前記プロテクタの内側面に取付けられた仮止具に仮止めされた状態で本固定されていることを特徴とするバルク供給装置。
【請求項３】
請求項２記載のバルク供給装置であって、
前記仮止具が、板状体の一側面に形成された断面略Ｃ字形の配管嵌着部と、前記板状体の他側面に形成されプロテクタの係合孔に押入される係合突起とを有して全体が合成樹脂材で一体に形成されていることを特徴とするバルク供給装置。
【請求項４】
請求項１乃至３のいずれか１項記載のバルク供給装置であって、
前記プロテクタのガスメータの表示部に対向する箇所に開閉可能な透明カバーで開口部を覆った窓部が設けられていることを特徴とするバルク供給装置。
【発明の詳細な説明】
【０００１】
【発明の属する技術分野】
本発明は、バルク供給装置に関し、詳しくはＬＰガスをコンパクトな設備で供給できるバルク供給装置に関するものである。
【０００２】
【従来の技術】
一般家庭用ＬＰガスは、シリンダ形のＬＰガスボンベを宅配して交換するシリンダ供給方式が一般的である（例えば、実開平４−１３６３９９号公報、実開平５−２７５００号公報参照）が、人手不足による配送員の高齢化、配送コストの高騰等により配送の合理化を図るべく従来工業用等に限定使用されているバルク供給システムの導入が検討されている。
【０００３】
図８及び図９は、この導入が見込まれる地上式及び地下式バルク供給装置１００及び２００をそれぞれ示す。
【０００４】
地上式バルク供給装置１００は、図８（ａ）（ｂ）に示すように横型円筒状胴部１０１の左右開口部を鏡板１０２，１０２で閉塞して形成された液化プロパンを貯留する容器本体１０３と、一側の鏡板１０２に設けられたプロテクタ１０４内で該鏡板１０２に設けられたガス取出弁１０５と容器本体１０３の外側に設けた支柱１０７に支持された調整器等の供給機器及びガスメータ１０８とを連結してなるガス供給ユニット１０９とを備え、胴部１０１に溶接した脚部１２０を地上ＧＬに載置したコンクリート製基礎１２１に固着して据付けられている。このとき支柱１０７はコンクリート基礎１２１に据付けられており、ガス供給ユニット１０９はガスメータ１０８の入口側に連結する第１配管系１０６によりガス取出弁１０５に連結すると共にガスメータ１０８の出口側に連結し被使用ガス機器（図示せず）へガスを供給する第２配管系１１５とを有して構成されている。
【０００５】
また、プロテクタ１０４内の鏡板１０２には、他にカップリング用液流出防止装置１１０，液面計１１１，液取出弁１１２，安全弁１１３，液入弁１１４、及び過充填防止弁１２５が取付けられている。
【０００６】
また、地下式バルク供給装置２００は、図９に示すように、容器本体１０３の胴部１０１の上部に、ガス取出弁１０５，カップリング用液流出防止装置１１０，液面計１１１，液取出弁１１２，安全弁１１３，液入弁１１４、及び過充填防止弁１２５が取付けられると共にこれら各種弁を覆うようにプロテクタ１０４が取付けられている点が相違し、他の構成は前述した地上式バルク供給装置１００と同様に構成されている。そしてこの地下式バルク供給装置２００は、容器本体１０３が脚部１２０を介して基礎１２１に固着した状態で孔１３０内に載置され、プロテクタ１０４の蓋部１０４ａを地上ＧＬに突出させた状態で埋設されている。
【０００７】
この地下式バルク供給装置２００においては、調整器等の供給機器及びガスメータ１０８は地上に設置された支柱１０７に支持されており、その入口側配管とプロテクタ１０４内のガス取出弁１０５とを第１配管系１０６で連結すると共に、その出口側配管に被使用ガス機器（図示せず）へガスを供給する第２配管系１１５を連結してガス供給ユニット１０９を構成している。
【０００８】
【発明が解決しようとする課題】
このように従来の地上式及び地下式バルク供給装置１００及び２００においては、プロテクタ１０４内に各種弁及び各種計器が取付けられており、このプロテクタ１０４内にガス供給ユニット１０９を設置した場合その第１及び第２配管系１０６及び１１５が前記各種弁及び各種計器の取り扱い及び読取りを妨げる虞れがあり、どうしても容器本体１０３（プロテクタ１０４）外に調整器等の供給機器及びガスメータ１０８を設置することを余儀無くされ、このため調整器等の供給機器及びガスメータ１０８を支持する支柱１０７を設置するためのスペースを確保する必要上設置スペースが拡大するという課題を有している。
【０００９】
本発明は前記した課題を解決すべくなされたものであり、その目的は、各種弁の取扱及び各種計器の読取りを妨げることの無い状態でガス供給ユニットをプロテクタ内に取付けて設置面積の省スペース化を図ることのできるバルク供給装置を提供するにある。
【００１０】
【課題を解決するための手段】
前記した目的を達成するため請求項１記載の発明は、液化プロパンを貯留する容器本体と、この容器本体に設けられたガス取出弁とガスメータの入口側とを第１配管系で連結すると共にガスメータの出口側に被使用ガス機器へガスを供給する第２配管系を連結してなるガス供給ユニットとを備えたバルク供給装置において、前記ガス供給ユニットが前記容器本体に設けたプロテクタ内に設けられると共に、前記第１及び第２配管系が前記プロテクタの内側面に沿って配管され、前記ガスメータを仮止めするメータ仮止具は、ガスメータの底部に当接するメータ載置面が上面に形成されると共に、ガスメータに連結する信号線の逃げ溝が一側面に形成され、かつプロテクタの係合孔に押入して係合する係合突起が他側面に形成されており、全体が合成樹脂材でブロック状に一体に形成されていることを特徴としている。
【００１１】
このため請求項１記載の発明では、第１及び第２配管系をプロテクタの内側壁に沿わせて配管させたので、プロテクタ内にガス供給ユニットを設けたにも拘らずプロテクタ内の中央部分に各種弁及び各種計器の設置スペースを確保することができる。また、プロテクタの係合孔に係合突起を押入することによりメータ仮止具を容易に取付けることができると共に、そのメータ仮止具のメータ載置面にガスメータの底部を当接させて載置するだけでガスメータの位置付けを容易に行うことができる。その上、メータ仮止具は全体が合成樹脂材で一体に形成されているので製造容易であると共に、軽量でプロテクタへの負荷を増加させることが無い。
【００１２】
また、請求項２記載の発明では、請求項１記載のバルク供給装置であって、前記ガスメータに連結された第１及び第２配管系は、前記プロテクタの内側面に取付けられた仮止具に仮止めされた状態で本固定されていることを特徴としている。
【００１３】
このため請求項２記載の発明では、第１及び第２配管系を仮止めした状態で本固定するものであるから、第１及び第２配管系内に生じる弛み、引張りあるいは位置ずれを仮止めの際に解消して正確な位置付けで本固定を行うことができる。
【００１４】
また、請求項３記載の発明は、請求項２記載のバルク供給装置であって、前記仮止具が、板状体の一側面に形成された断面略Ｃ字形の配管嵌着部と、前記板状体の他側面に形成されプロテクタの係合孔に押入される係合突起とを有して全体が合成樹脂材で一体に形成されていることを特徴としている。
【００１５】
このため請求項３記載の発明では、プロテクタの係合孔に係合突起を押入することにより仮止具を容易に取付けることができると共に、その仮止具の配管嵌着部に嵌合させるだけで第１及び第２配管系を容易に仮止めすることができる。その上仮止具は全体が合成樹脂材で一体に形成されているので製造容易であると共に、軽量でプロテクタへの負荷を増加させることが無い。
【００１８】
また、請求項４記載の発明は、請求項１乃至３のいずれか１項記載のバルク供給装置であって、前記プロテクタのガスメータの表示部に対向する箇所に開閉可能な透明カバーで開口部を覆った窓部が設けられていることを特徴としている。
【００１９】
このため請求項４記載の発明では、窓部の透明カバーを通してガスメータの表示部を容易に視認することができる。その上透明カバーは閉じた状態でプロテクタ内への雨水や埃等の異物の侵入を防ぐことができると共に、開放することによりガスメータのスイッチ操作を容易に行なうことができる。
【００２０】
【発明の実施の形態】
以下、本発明の実施の形態を図面に基づいて具体的に説明する。
【００２１】
図１及び図２は、本発明の一実施形態としてのバルク供給装置１を示す。
【００２２】
バルク供給装置１は、液化プロパンを貯留する容器本体２と、この容器本体２に設けられたガス取出弁４とガスメータ５の入口側と第１配管系６で連結すると共にガスメータ５の出口側に被使用ガス機器（図示せず）へガスを供給する第２配管系１３を連結してなるガス供給ユニット３とを備え、ガス供給ユニットが容器本体２に設けたプロテクタ７内に設けられると共に第１及び第２配管系６及び１３がプロテクタ７の内側面に沿って配管されて大略構成されている。
【００２３】
容器本体２は、縦型円筒状胴部２１の上、下開口部をそれぞれ上部及び下部鏡板２２及び２３で閉塞して形成されており、胴部２１の外周壁の下部に溶接固着した脚部１８を介してコンクリート製基礎２０上に固定されて設置されている。この容器本体２の上部鏡板２２にはプロテクタ７が設けられると共に、その胴部２１には液入弁１６及び液面計１７が設けられて、全体が地上式として構成されている。プロテクタ７は、下端開口部を上部鏡板２２上に固着した縦型円筒状の側壁７１と、この側壁７１の上端開口部に開閉可能に設けられた蓋部７２とを有して形成されている。
【００２４】
ガス供給ユニット３は、図２に示すようにその第１配管系６がプロテクタ７内の上部鏡板２２に設けられたガス取出弁４に順次遠ざかる方向に連結された一次側圧力計８，二段減圧一体型調整器９，及び検査孔付きねじガス栓１０と、このねじガス栓１０とガスメータ５の入口側配管５ｂとを連結する低圧ホース６ａとから構成されており、その第２配管系１３がガスメータ５の出口側配管５ｃに連結しプロテクタ７外へ導出される金属フレキシブルホース１３ａを有して構成されている。そしてガス供給ユニット３はガスメータ５の表示部５ａをプロテクタ７の内側面に接近させて対向配置する（図２参照）と共に、第１及び第２配管系６及び１３をプロテクタ７の内側面に取付けられた第１，第２，及び第３仮止具２５，２６，及び２７に仮止めした状態で本固定してプロテクタ７の内側面に沿って配管することによってプロテクタ７内に取付けられている。
【００２５】
すなわち、第１配管系６は、低圧ホース６ａが第１仮止具２５で仮止めされており（図２参照）、かつガスメータ５の入口側配管５ｂが第３仮止具２７で仮止めされると共に、サドルあるいはＵボルト等の本固定具２９で本固定されている（図１参照）。一方、第２配管系１３は金属フレキシブルホース１３ａが第２仮止具２６で仮止めされており（図２参照）、かつガスメータ５の出口側配管５ｃが第３仮止具２７で仮止めされると共に、サドルあるいはＵボルト等の本固定具２９で本固定されている（図２参照）。
【００２６】
なお、図１及び図２において、符号１４はガス警報器の検知部であり、符号１５は一端をガスメータ５及び検知部１４に連結し他端をプロテクタ７の外方へ導出した信号線を収納する樹脂フレキシブル管である。
【００２７】
このときに用いられる第１，第２，第３仮止具２５，２６，及び２７は、図３に示すように構成されている。
【００２８】
すなわち、第１仮止具２５は、図３（ａ）に示すように板状体２５ａと、この板状体２５ａの一側面に形成された断面略Ｃ字形の横方向配管嵌着部２５ｂと、板状体２５ａの他側面に形成されプロテクタ７の側壁７１に穿設した係合孔７１ａに押入される係合突起２５ｃとを有し、全体が合成樹脂材で一体に形成されて構成されており、係合突起２５ｃを係合孔７１ａに押入してプロテクタ７の内側面に取付けられると共に配管嵌着部２５ｂに低圧ホース６ａを嵌着させて仮止めすることができるようになっている。
【００２９】
また、第２仮止具２６は、図３（ｂ）に示すように板状体２６ａと、この板状体２６ａの一側面に形成された断面略Ｃ字形の２個の横方向配管嵌着部２６ｂ，２６ｄと、板状体２６ａの他側面に形成された係合突起２６ｃとを有し、全体が合成樹脂材で一体に形成されて構成されており、係合突起２６ｃを係合孔７１ａに押入してプロテクタ７の内側面に取付けられると共に、配管嵌着部２６ｂ及び２６ｄにそれぞれに金属フレキシブルホース１３ａ及び信号線を収納する樹脂フレキシブル管１５を嵌着させて仮止めすることができるようになっている。
【００３０】
さらに第３仮止具２７は、図３（Ｃ）に示すように、板状体２７ａと、この板状体２７ａの一側面に形成された断面略Ｃ字形の縦方向配管嵌着部２７ｂと、板状体２７ａの他側面に形成された係合突起２７ｃとを有し、全体が合成樹脂材で一体に形成されて構成されており、係合突起２７ｃを係合孔７１ａに押入してプロテクタ７の内側面に取付けられると共に、配管嵌着部２７ｂにガスメータ５の入口側配管５ｂ（あるいは出口側配管５ｃ）を嵌着させて仮止めすることができるようになっている。
【００３１】
このとき、第１，第２，及び第３仮止具２５，２６，及び２７の各配管嵌着部２５ｂ，２６ｂ，２６ｄ及び２７ｂは、被嵌着配管よりもやや小径に形成されており、嵌着時は拡径して被嵌着配管を受入れると共に、受入れ後縮径して被嵌着配管を握持して仮止めすることができるようになっている。
【００３２】
そして、これら第１，第２，及び第３仮止具２５，２６，及び２７を用いて前述した配管構造を得るには次の様にする。
【００３３】
まず、第１，第２，及び第３仮止具２５，２６，及び２７をプロテクタ７の側壁７１の内側面の所定位置に取付ける。このとき図４に示すメータ仮止具２８をガスメータ５の下方位置の側壁７１の内側面の該当部位に同時に取付ける。
【００３４】
このメータ仮止具２８は、上面に形成されてガスメータ５の底部が当接するメータ載置面２８ａと、一側面に形成された信号線を収納する樹脂フレキシブル管１５の逃げ溝２８ｂと、他側面に形成された係合突起２８ｃとを有して、全体が合成樹脂材でブロック状に形成されて構成されており、係合突起２８ｃをプロテクタ７の側壁７１に突設した係合孔７１ａに押入することにより取付けることができる。
【００３５】
しかる後、ガスメータ５をメータ仮止具２８上に載置し、その後低圧ホース６ａ及びガスメータ５の入口側配管５ｂをそれぞれ第１仮止具２５及び第３仮止具２７に仮止めすると共に、金属フレキシブルホース１３ａ及びガスメータ５の出口側配管５ｃをそれぞれ第２仮止具２６及び第３仮止具２７に仮止めし、その後サドル又はＵボルト等の本固定具２９を用いてガスメータ５の入口側及び出口側配管５ｂ及び５ｃを本固定する（図１参照）。信号線を収納する樹脂フレキシブル管１５は金属フレキシブルホース１３ａの仮止め時に第２仮止具２６に同時に仮止めされる。
【００３６】
このとき用いられる第１，第２，及び第３仮止具２５，２６，及び２７、並びにメータ仮止具２８は、各係合突起２５ｃ，２６ｃ，２７ｃ，２８ｃをプロテクタ７の係合孔７１ａに押入することにより容易に取付けることができると共に、各配管嵌着部２５ｂ，２６ｂ，２６ｄ及び２７ｂ、並びにメータ載置面２８ａにそれぞれ嵌合並びに載置するだけで第１及び第２配管系６及び１３、並びにガスメータ５を容易に仮止めすることができるので、取付作業性の向上を図ることができる。その上第１，第２，及び第３仮止具２５，２６，及び２７，並びにメータ仮止具２８は、全体が合成樹脂材で一体に形成されているので製造容易であると共に、軽量でプロテクタ７への負荷を増加させることが無いので従来のプロテクタをそのまま転用可能であり、総じてコスト増を抑制することができる。
【００３７】
また、本固定具２９による本固定は、第１及び第２配管系６及び１３並びにガスメータ５を仮止した状態で行うので、第１及び第２配管系６及び１３内に生じる弛み、引張り、あるいは位置ずれを仮止めの際に解消して正確な位置付けで容易に行うことができるので、プロテクタ７内へのガス供給ユニット３の取付作業性の向上を図ることができる。
【００３８】
そしてこのように構成されたバルク供給装置１は、第１及び第２配管系６及び１３をプロテクタ７の内側壁に沿わせて配管させたので、プロテクタ７内にガス供給ユニット３を設けたにも拘らずプロテクタ７内の中央部分に安全弁１１、液取出弁１２等の各種弁及び液面計等の設置スペースを確保することができ、これにより各種弁の取扱い及び各種計器の読取りを妨げることの無い状態でガス供給ユニット３をプロテクタ７内に取付けて設置面積の省スペース化を図ることができる。
【００３９】
また、バルク供給装置１は、好ましくは図１に示すようにプロテクタ７の側壁７１のガスメータ５の表示部５ａに対向する箇所に、窓部３０を設けて構成することができる。
【００４０】
この窓部３０は、図５に示すように、開口部３０ａが開閉可能な透明カバー３１で覆われて構成されている。このときの透明カバー３１は引戸方式に組込まれており、ａ方向に引出すことにより開口部３０ａが開放するようになっている。
【００４１】
この窓部３０を設けたバルク供給装置１は、ガス供給ユニット３をプロテクタ７内に設けたにも拘らず、透明カバー３１を通してガスメータ５の表示部５ａを容易に視認することができ、かつ透明カバー３１を閉じることにより雨水や埃等の異物の侵入を防ぐことができると共に透明カバー３１の開放によりガスメータのスイッチ操作を容易に行うことができる。
【００４２】
また、図６は他の実施形態としての配管固定構造を示す。この配管固定構造は、仮止具と、この仮止具に共に固定される本固定具を有して構成されている。
【００４３】
すなわち、仮止具は前述した第３仮止具２７で、板状体２７ａの配管嵌着部２７ｂの両側に位置する部分にねじ挿通孔２７ｅ及び位置決め孔２７ｆが穿設されており、かつ配管嵌着部２７ｂの両側に平面部２７ｄが長さ方向に形成されて全体構成されている。一方、本固定具２９は、前記配管嵌着部２７ｂに外挿可能な略断面Ｃ字形状に形成された本体部２９ａと、この本体部２９ａの両側開口縁に沿って長さ方向に形成されたフランジ部２９ｂと、このフランジ部２９ｂに前記ねじ挿通孔２７ｅ及び位置決め孔２７ｆとそれぞれ同一内隔で形成された埋め込みナット２９ｃ及び位置決め突起２９ｄとを備えて構成されている。
【００４４】
さらに、プロテクタ７の側壁７１には、係合孔７１ａの他にねじ挿通孔７１ｂが前記ねじ挿通孔２７ｅと同一間隔で形成されている。
【００４５】
そしてこれらを用いてガスメータ５の出口側配管５ｃ（あるいは入口側配管５ｂ）を固定するには次のようにする。
【００４６】
まず、係合突起２７ｃを係合孔７１ａに押入して第３仮止具２７を側壁７１の内側面に取付け、その後配管嵌着部２７ｂに出口側配管５ｃを嵌合して仮止する。次に本体部２９ａを、配管嵌着部２７ｂの上方から平面部２７ｄに沿って下降させて配管嵌着部２７ｂに被せると共に位置決め突起２９ｄを位置決め孔２７ｆに押入して本固定具２９を第３仮止具２７に仮止めする。その後ワッシャ３３を挿通したねじ３２を側壁７１の外側から、ねじ挿通孔７１ｂ，２７ｅを挿通させて埋込みナット２９ｃに螺合させて本固定具２９及び第３仮止具２７を共に側壁７１に固定する。これによって出口側配管５ｃが固定される。このようにこの配管固定構造によれば、仮止具を本固定に有効に利用することができるメリットがある。
【００４７】
さらに、図７は、他の変化例としてのメータ仮止具２８を示す。このメータ仮止具２８は、係合突起２８ｃが形成されている他側面に埋込みナット２８ｄを設けた点が相異するだけで、他の構成は前述した実施形態におけるメータ仮止具２８と同様に構成されている。
【００４８】
すなわち、メータ仮止具２８は、その他側面にプロテクタの側壁７１に穿設したねじ挿通孔７１ｂと同一間隔で埋込みナット２８ｄを設けて構成されている。そしてこのメータ仮止具２８は、係合突起２８ｃを係合孔７１ａに押入して側壁７１の内側面に仮止めした後、そのメータ載置面２８ａ上にガスメータ５を載置して位置決めした後、ワッシャ３３を挿通したねじ３２を側壁７１の外方よりねじ挿通孔７１ｂに挿通させて埋込みナット２８ｄに螺合して固定される。このメータ仮止具２８によれば、本固定により側壁７１に確実に固定され、ガスメータ５を安定して支持することができる。
【００４９】
以上述べた実施形態は地上式のものであるが、本発明はこれに限定するものではなく地下式のものにも適用できる。
【００５０】
すなわち、地下式の場合は、液入弁１６及び液面計１７を図２に２点鎖線で示すようにプロテクタ７の内部の上部鏡板２２に設けるが、この場合でも、液入弁１６の取扱い及び液面計１７の読取りを阻害することの無い状態でガス供給ユニット３をプロテクタ７内に設けることができる。
【００５１】
【発明の効果】
以上、詳述したように本発明によれば、次のような効果を奏することができる。
【００５２】
すなわち、請求項１記載の発明によれば、第１及び第２配管系をプロテクタの内側壁に沿わせて配管させたので、プロテクタ内にガス供給ユニットを設けたにも拘らずプロテクタ内の中央部分に各種弁及び各種計器の設置スペースを確保することができ、これにより各種弁の取扱い及び各種計器の読取りを妨げることの無い状態でガス供給ユニットをプロテクタ内に取付けて設置面積の省スペース化を図ることができる。また、係合突起をプロテクタの係合孔に押入することによりメータ仮止具を容易に取付けることができると共にメータ載置面にガスメータを載置するだけでガスメータを容易に仮止めすることができるので、取付作業性の向上を図ることができ、コスト増を抑制することができる。
【００５３】
また、請求項２記載の発明によれば、第１及び第２配管系を仮止めした状態で本固定するものであるから、第１及び第２配管系内に生じる弛み、引張りあるいは位置ずれを仮止めの際に解消して正確な位置付けで本固定を行なうことができ、これにより第１及び第２配管系の取付けを容易に行なうことができ、ひいてはプロテクタ内へのガス供給ユニットの取付作業性の向上を図ることができる。
【００５４】
また請求項３記載の発明によれば、係合突起をプロテクタの係合孔に押入することにより仮止具を容易に取付けることができると共に、その仮止具の配管嵌着部に嵌合させるだけで第１及び第２配管系を容易に仮止めすることができるので、取付作業性の向上を図ることができる。その上仮止具は全体が合成樹脂材で一体に形成されているので製造容易であると共に、軽量でプロテクタへの負荷を増加させることが無いので、従来のプロテクタをそのまま転用可能であり、総じてコスト増を抑制することができる。
【００５６】
また、請求項４記載の発明によれば、プロテクタに開閉可能な透明カバーを備えた窓部を設けたので、ガス供給ユニットをプロテクタ内に設けたにも拘らず透明カバーを通してガスメータの表示部を容易に視認することができ、かつ、透明カバーを閉じることにより雨水や埃等の異物の侵入を防ぐことができると共に透明カバーの解放によりガスメータのスイッチ操作を容易に行なうことができる。
【図面の簡単な説明】
【図１】本発明の一実施形態としてのバルク供給装置の側面図である。
【図２】図１のバルク供給装置のプロテクタの蓋部を取外した状態の平面図である。
【図３】図１のバルク供給装置に用いられる仮止具の取付状態を説明する斜視図で、（ａ）は第１仮止具、（ｂ）は第２仮止具、（ｃ）は第３仮止具をそれぞれ示す。
【図４】図１のバルク供給装置に用いられるメータ仮止具の取付状態を説明する斜視図である。
【図５】図１のバルク供給装置の窓部の斜視図である。
【図６】図１のバルク供給装置の配管系の他の実施形態としての取付構造を示す分解斜視図である。
【図７】図１のバルク供給装置のガスメータの他の実施形態としての取付構造を示す分解斜視図である。
【図８】従来の地上式バルク供給装置を示し、（ａ）は一部破断した側面図、（ｂ）は（ａ）のプロテクタの蓋部を取外した状態のＺ矢視側面図である。
【図９】従来の地下式バルク供給装置の一部破断した側面図である。
【符号の説明】
１  バルク供給装置
２  容器本体
３  ガス供給ユニット
４  ガス取出弁
５  ガスメータ
５ａ  表示部（ガスメータ）
６  第１配管系
７  プロテクタ
１１  安全弁
１２  液取出弁
１３  第２配管系
１５  信号線
２５  第１仮止具（仮止具）
２６  第２仮止具（仮止具）
２７  第３仮止具（仮止具）
２５ａ，２６ａ，２７ａ  板状体
２５ｂ，２６ｂ，２７ｂ  配管嵌着部
２５ｃ，２６ｃ，２７ｃ  係合突起
２８  メータ仮止具（仮止具）
２８ａ  メータ載置面
２８ｂ  逃げ溝
２９  本固定具
３０  窓部
３０ａ  開口部（窓部の）
３１  透明カバー
７１  側壁（プロテクタの）
７１ａ  係合孔
【図１】
0003779382.tif 000002
【図２】
0003779382.tif 000003
【図３】
0003779382.tif 000004
【図４】
0003779382.tif 000005
【図５】
0003779382.tif 000006
【図６】
0003779382.tif 000007
【図７】
0003779382.tif 000008
【図８】
0003779382.tif 000009
【図９】
0003779382.tif 000010